(57)【要約】【課題】利用者が移動する各場所の位置情報を含む場所付随情報を例えば日報のように日時順に編集整理して閲覧可能にする場所情報収集閲覧システム、方法およびプログラムを提供する。【解決手段】移動端末３や携帯電話機４で各場所の位置情報を含む場所付随情報を収集し、関連情報および日時情報とともにインターネット１、移動通信網１１を介してサーバ７に送信し、サーバ７は場所付随情報、関連情報および日時情報をインターネット１から受信すると、この場所付随情報、関連情報および日時情報を編集し日時順に所定の形態で整理して保存し、利用者は閲覧端末８やＬモード端末１９からインターネット１を介してサーバ７にアクセスし、日時順に整理された場所付随情報および関連情報を日時情報とともに閲覧する。【選択図】      図１
2004328540.tif 000002
【特許請求の範囲】
【請求項１】
移動する利用者が利用可能な場所に設置されネットワークに接続されるデータ通信端末または利用者に携行されネットワークに接続されるデータ通信端末を用いて、利用者の位置情報を含む場所付随情報を日時情報とともに収集して閲覧可能にする場所情報収集閲覧システムであって、
前記データ通信端末に設けられ、移動する利用者の各場所における位置情報を含む場所付随情報を収集し、利用者が必要により入力する関連情報および前記場所付随情報を収集した時点の日時情報とともに前記場所付随情報をネットワークを介して送信する情報収集送信手段と、
この送信される場所付随情報、関連情報および日時情報をネットワークを介して受信し、この受信した場所付随情報、関連情報および日時情報を編集し日時順に所定の形態で整理して保存するサーバと、
ネットワークを介して前記サーバにアクセスし、前記日時順に整理された場所付随情報および関連情報を日時情報とともに閲覧する閲覧用通信端末と
を有することを特徴とする場所情報収集閲覧システム。
【請求項２】
前記サーバは、前記閲覧用通信端末からのネットワークを介したアクセスに応答し、閲覧用通信端末がその表示画面の大きさに適切な表示形式で場所付随情報および関連情報を日時情報とともに閲覧し得るように場所付随情報、関連情報、日時情報を加工して閲覧用通信端末に送信する情報加工手段を有することを特徴とする請求項１記載の場所情報収集閲覧システム。
【請求項３】
前記サーバは、前記日時順に整理された場所付随情報および関連情報を日報として閲覧用通信端末で閲覧し得るように編集整理する手段を有することを特徴とする請求項１または２記載の場所情報収集閲覧システム。
【請求項４】
前記データ通信端末は、パーソナルコンピュータ、Ｌモード端末または携帯電話機であることを特徴とする請求項１乃至３のいずれか１項に記載の場所情報収集閲覧システム。
【請求項５】
前記情報収集送信手段は、前記場所付随情報の収集に加えて、デジタルカメラ、デジタルビデオ、高速無線ＬＡＮ接続サービスまたは自動料金収受システムからデジタル情報を取得し、このデジタル情報を前記場所付随情報、関連情報、日時情報とともにネットワークに送信し、
前記サーバは、前記デジタル情報を前記場所付随情報、関連情報、日時情報とともにネットワークから受信すると、このデジタル情報を場所付随情報、関連情報、日時情報とともに編集し日時順に所定の形態で整理して保存し、
前記閲覧用通信端末は、前記サーバから日時順に整理された場所付随情報、関連情報、デジタル情報を日時情報とともに取得して閲覧する
ことを特徴とする請求項１乃至４のいずれか１項に記載の場所情報収集閲覧システム。
【請求項６】
前記閲覧用通信端末は、前記データ通信端末であることを特徴とする請求項１乃至５のいずれか１項に記載の場所情報収集閲覧システム。
【請求項７】
移動する利用者が利用可能な場所に設置されネットワークに接続されるデータ通信端末または利用者に携行されネットワークに接続されるデータ通信端末を用いて、利用者の位置情報を含む場所付随情報を日時情報とともに収集して閲覧可能にする場所情報収集閲覧方法であって、
移動する利用者の各場所における位置情報を含む場所付随情報を前記データ通信端末で収集し、利用者が必要により入力する関連情報および前記場所付随情報を収集した時点の日時情報とともに前記場所付随情報をデータ通信端末からネットワークを介して送信し、
この送信されてくる場所付随情報、関連情報および日時情報をネットワークを介してサーバで受信し、この受信した場所付随情報、関連情報および日時情報を編集し日時順に所定の形態で整理してサーバで保存し、
閲覧用通信端末からネットワークを介して前記サーバにアクセスし、前記日時順に整理された場所付随情報および関連情報を日時情報とともに閲覧する
ことを特徴とする場所情報収集閲覧方法。
【請求項８】
前記サーバにおいては、前記閲覧用通信端末からのネットワークを介したアクセスに応答し、閲覧用通信端末がその表示画面の大きさに適切な表示形式で場所付随情報および関連情報を日時情報とともに閲覧し得るように場所付随情報、関連情報、日時情報を加工して閲覧用通信端末に送信することを特徴とする請求項７記載の場所情報収集閲覧方法。
【請求項９】
前記サーバにおいては、前記日時順に整理された場所付随情報および関連情報を日報として閲覧用通信端末で閲覧し得るように編集整理することを特徴とする請求項７または８記載の場所情報収集閲覧方法。
【請求項１０】
前記データ通信端末は、パーソナルコンピュータ、Ｌモード端末または携帯電話機であることを特徴とする請求項７乃至９のいずれか１項に記載の場所情報収集閲覧方法。
【請求項１１】
データ通信端末による場所付随情報の収集に加えて、デジタルカメラ、デジタルビデオ、高速無線ＬＡＮ接続サービスまたは自動料金収受システムからデジタル情報を取得し、このデジタル情報を前記場所付随情報、関連情報、日時情報とともにネットワークに送信し、
前記デジタル情報を前記場所付随情報、関連情報、日時情報とともにネットワークからサーバで受信し、このデジタル情報を場所付随情報、関連情報、日時情報とともに編集し日時順に所定の形態で整理して保存し、
サーバから日時順に整理された場所付随情報、関連情報、デジタル情報を日時情報とともに閲覧用通信端末で取得して閲覧する
ことを特徴とする請求項７乃至１０のいずれか１項に記載の場所情報収集閲覧方法。
【請求項１２】
前記閲覧用通信端末は、前記データ通信端末であることを特徴とする請求項７乃至１１のいずれか１項に記載の場所情報収集閲覧方法。
【請求項１３】
利用者が移動する各場所に設置され、ネットワークに接続されるデータ通信端末または利用者に携帯されながら利用者とともに各場所に移動し、ネットワークに接続されるデータ通信端末を用いて利用者が移動した各場所の位置情報を含む場所付随情報を日時情報とともに収集して閲覧可能にする場所情報収集閲覧プログラムであって、
データ通信端末においては、利用者が移動した各場所の位置情報を含む場所付随情報を収集し、利用者が必要により入力する関連情報および前記場所付随情報を収集した時点の日時情報とともに前記場所付随情報をネットワークを介してサーバに送信し、
サーバにおいては、前記データ通信端末から送信されてくる場所付随情報、関連情報および日時情報をネットワークから受信し、この受信した場所付随情報、関連情報および日時情報を編集し日時順に所定の形態で整理して保存し、
閲覧用通信端末においては、ネットワークを介して前記サーバにアクセスし、前記日時順に整理された場所付随情報および関連情報を日時情報とともに閲覧する
ことを特徴とする場所情報収集閲覧プログラム。
【発明の詳細な説明】
【０００１】
【発明の属する技術分野】
本発明は、移動する利用者の各場所での位置情報を含む場所付随情報をデータ通信端末で閲覧可能にする場所情報収集閲覧システム、方法およびプログラムに関し、更に詳しくは、各場所に設置されネットワークに接続されるデータ通信端末または利用者に携帯されネットワークに接続されるデータ通信端末を用いて、利用者が移動した各場所の位置情報を含む場所付随情報を日時情報と共に収集して閲覧可能にする場所情報収集閲覧システム、方法およびプログラムに関する。
【０００２】
【従来の技術】
利用者が移動する各場所の情報を収集する従来技術として、例えば移動中に個別に場所や時間情報を採取する技術がある（非特許文献１参照）。
【０００３】
また、採取した時系列データをインターネットを経由して閲覧する場合には、Ｗｅｂコンテンツ作成ツールなどを用いた人手による編集によって行われる。更に、マルチメディアコンテンツを複合的に編集して表示するソフトウェア技術も多数存在する（例えば、非特許文献２−４参照）。
【０００４】
【非特許文献１】
市川晴久：時空を超越するユビキタスサービス、ＳＣＡＴＬＩＮＥ、２００２年１０月、（財）テレコム先端技術研究支援センター
【０００５】
【非特許文献２】
日記ソフトウェア：紅日記  平成１５年４月８日、インターネット＜ＵＲＬ；ｈｔｔｐ：／／ｍｅｍｂｅｒ．ｎｉｆｔｙ．ｎｅ．ｊｐ／ａｋｈｉｔｏ／ｋｕｒｅｎａｉ．ｈｔｍ＞
てるてる日記  平成１５年４月８日、インターネット＜ＵＲＬ；ｈｔｔｐ：／／ａｔｏｎｌｉｎｅ．ｃｈｕ．ｊｐ／ｓｔｔｄ．ｈｔｍ＞
【０００６】
【非特許文献３】
ＧＰＳ情報とデジカメ画像を連携できるＧＰＳレシーバ付き地図ソフトウェア平成１５年４月８日、インターネット＜ＵＲＬ；ｈｔｔｐ：ｗｗｗ．ｗａｔｃｈ．ｉｍｐｒｅｓｓ．ｃｏ．ｊｐ／ｐｃ／ｄｏｃｓ／ａｒｔｉｃｌｅ／２００００１１３／ｓｏｎｙ．ｈｔｍ＞
【０００７】
【非特許文献４】
Ｗ３Ｃ勧告  拡張可能なマーク付け言語（ＸＭＬ）１．０
平成１５年４月８日、インターネット＜ＵＲＬ；ｈｔｔｐ：／／ｗｗｗ．ｗ３．ｏｒｇ／ＴＲ／ＲＥＣ−ｘｍｌ＞
平成１５年４月８日、インターネット＜ＵＲＬ；ｈｔｔｐ：／／ｗｗｗ．ｆｘｉｘ．ｃｏ．ｊｐ／ＤＭＳ／ｓｇｍｌ／ｘｍ．／ｒｅｃ−ｘｍｌ．ｈｔｍｌ＞
【０００８】
【発明が解決しようとする課題】
上述した従来技術のうち、移動中に個別に場所や時間情報を採取する技術は、場所や時間の情報を採取することはできるものの、採取した情報を日時順に編集整理して、例えば日報のような情報として利用者が閲覧しやすいような状態で提供されていないという問題がある。
【０００９】
また、従来技術におけるＷｅｂコンテンツ作成ツールなどを用いた人手による編集やマルチメディアコンテンツの複合的編集表示は、いずれの場合も編集整理に人手を要し、さらには例えば日報のような情報として利用者が閲覧しやすいようになっていないという問題がある。
【００１０】
本発明は、上記に鑑みてなされたもので、その目的とするところは、利用者が移動する各場所の位置情報を含む場所付随情報を例えば日報のように日時順に編集整理して閲覧可能にする場所情報収集閲覧システム、方法およびプログラムを提供することにある。
【００１１】
【課題を解決するための手段】
上記目的を達成するため、請求項１記載の本発明は、移動する利用者が利用可能な場所に設置されネットワークに接続されるデータ通信端末または利用者に携行されネットワークに接続されるデータ通信端末を用いて、利用者の位置情報を含む場所付随情報を日時情報とともに収集して閲覧可能にする場所情報収集閲覧システムであって、前記データ通信端末に設けられ、移動する利用者の各場所における位置情報を含む場所付随情報を収集し、利用者が必要により入力する関連情報および前記場所付随情報を収集した時点の日時情報とともに前記場所付随情報をネットワークを介して送信する情報収集送信手段と、この送信されてくる場所付随情報、関連情報および日時情報をネットワークを介して受信し、この受信した場所付随情報、関連情報および日時情報を編集し日時順に所定の形態で整理して保存するサーバと、ネットワークを介して前記サーバにアクセスし、前記日時順に整理された場所付随情報および関連情報を日時情報とともに閲覧する閲覧用通信端末とを有することを要旨とする。
【００１２】
請求項１記載の本発明にあっては、データ通信端末においては各場所の位置情報を含む場所付随情報を収集し、関連情報および日時情報とともにサーバに送信し、サーバは場所付随情報、関連情報および日時情報を受信すると、この場所付随情報、関連情報および日時情報を編集し日時順に所定の形態で整理して保存し、利用者は閲覧用通信端末からネットワークを介してサーバにアクセスし、日時順に整理された場所付随情報および関連情報を日時情報とともに閲覧するため、利用者が日々移動する場所の情報やその関連情報を人手によらず逐次収集して日時順に日報として見やすく整理されたものとして閲覧でき、利便性を向上することができる。
【００１３】
また、請求項２記載の本発明は、請求項１記載の発明において、前記サーバが、前記閲覧用通信端末からのネットワークを介したアクセスに応答し、閲覧用通信端末がその表示画面の大きさに適切な表示形式で場所付随情報および関連情報を日時情報とともに閲覧し得るように場所付随情報、関連情報、日時情報を加工して閲覧用通信端末に送信する情報加工手段を有することを要旨とする。
【００１４】
請求項２記載の本発明にあっては、閲覧用通信端末の表示画面の大きさに適切な表示形式に場所付随情報、関連情報、日時情報を加工し、閲覧用通信端末に適切な表示形式で場所付随情報および関連情報を閲覧できるため、どのような端末を利用しても場所付随情報、関連情報、日時情報を的確に閲覧することができる。
【００１５】
更に、請求項３記載の本発明は、請求項１または２記載の発明において、前記サーバが、前記日時順に整理された場所付随情報および関連情報を日報として閲覧用通信端末で閲覧し得るように編集整理する手段を有することを要旨とする。
【００１６】
請求項３記載の本発明にあっては、場所付随情報および関連情報は日報として編集整理されて閲覧用通信端末で閲覧できるため、日々の移動の日報を人手によらず自動的に作成でき、利便性を向上することができる。
【００１７】
請求項４記載の本発明は、請求項１乃至３のいずれか１項に記載の発明において、前記データ通信端末が、パーソナルコンピュータ、Ｌモード（登録商標）端末または携帯電話機であることを要旨とする。
【００１８】
また、請求項５記載の本発明は、請求項１乃至４のいずれか１項に記載の発明において、前記情報収集送信手段が、前記場所付随情報の収集に加えて、デジタルカメラ、デジタルビデオ、ホットスポットまたは自動料金収受システム（ＥＴＣ）からデジタル情報を取得し、このデジタル情報を前記場所付随情報、関連情報、日時情報とともにネットワークに送信し、前記サーバが、前記デジタル情報を前記場所付随情報、関連情報、日時情報とともにネットワークから受信すると、このデジタル情報を場所付随情報、関連情報、日時情報とともに編集し日時順に所定の形態で整理して保存し、前記閲覧用通信端末が、前記サーバから日時順に整理された場所付随情報、関連情報、デジタル情報を日時情報とともに取得して閲覧することを要旨とする。
【００１９】
請求項５記載の本発明にあっては、場所付随情報の収集に加えて、デジタルカメラ、デジタルビデオ、高速無線ＬＡＮ接続サービスまたは自動料金収受システム（ＥＴＣ）から取得したデジタル情報も閲覧できるため、利便性を向上することができる。
【００２０】
更に、請求項６記載の本発明は、請求項１乃至５のいずれか１項に記載の発明において、前記閲覧用通信端末が、前記データ通信端末であることを要旨とする。
【００２１】
請求項７記載の本発明は、移動する利用者が利用可能な場所に設置されネットワークに接続されるデータ通信端末または利用者に携行されネットワークに接続されるデータ通信端末を用いて、利用者の位置情報を含む場所付随情報を日時情報とともに収集して閲覧可能にする場所情報収集閲覧方法であって、利用者が移動した各場所の位置情報を含む場所付随情報を前記データ通信端末で収集し、利用者が必要により入力する関連情報および前記場所付随情報を収集した時点の日時情報とともに前記場所付随情報をデータ通信端末からネットワークを介して送信し、この送信されてくる場所付随情報、関連情報および日時情報をネットワークを介してサーバで受信し、この受信した場所付随情報、関連情報および日時情報を編集し日時順に所定の形態で整理してサーバで保存し、閲覧用通信端末からネットワークを介して前記サーバにアクセスし、前記日時順に整理された場所付随情報および関連情報を日時情報とともに閲覧することを要旨とする。
【００２２】
請求項７記載の本発明にあっては、データ通信端末においては各場所の位置情報を含む場所付随情報を収集し、関連情報および日時情報とともにサーバに送信し、サーバは場所付随情報、関連情報および日時情報を受信すると、この場所付随情報、関連情報および日時情報を編集し日時順に所定の形態で整理して保存し、利用者は閲覧用通信端末からネットワークを介してサーバにアクセスし、日時順に整理された場所付随情報および関連情報を日時情報とともに閲覧するため、利用者が日々移動する場所の情報やその関連情報を人手によらず逐次収集して日時順に日報として見やすく整理されたものとして閲覧でき、利便性を向上することができる。
【００２３】
また、請求項８記載の本発明は、請求項７記載の発明において、前記サーバにおいては、前記閲覧用通信端末からのネットワークを介したアクセスに応答し、閲覧用通信端末がその表示画面の大きさに適切な表示形式で場所付随情報および関連情報を日時情報とともに閲覧し得るように場所付随情報、関連情報、日時情報を加工して閲覧用通信端末に送信することを要旨とする。
【００２４】
請求項８記載の本発明にあっては、閲覧用通信端末の表示画面の大きさに適切な表示形式に場所付随情報、関連情報、日時情報を加工し、閲覧用通信端末に適切な表示形式で場所付随情報および関連情報を閲覧できるため、どのような端末を利用しても場所付随情報、関連情報、日時情報を的確に閲覧することができる。
【００２５】
更に、請求項９記載の本発明は、請求項７または８記載の発明において、前記サーバにおいては、前記日時順に整理された場所付随情報および関連情報を日報として閲覧用通信端末で閲覧し得るように編集整理することを要旨とする。
【００２６】
請求項９記載の本発明にあっては、場所付随情報および関連情報は日報として編集整理されて閲覧用通信端末で閲覧できるため、日々の移動の日報を人手によらず自動的に作成でき、利便性を向上することができる。
【００２７】
請求項１０記載の本発明は、請求項７乃至９のいずれか１項に記載の前記データ通信端末は、パーソナルコンピュータ、Ｌモード（登録商標）端末または携帯電話機であることを要旨とする。
【００２８】
また、請求項１１記載の本発明は、請求項７乃至１０のいずれか１項に記載の発明において、データ通信端末による場所付随情報の収集のに加えて、デジタルカメラ、デジタルビデオ、高速無線ＬＡＮ接続サービスまたは自動料金収受システムからデジタル情報を取得し、このデジタル情報を前記場所付随情報、関連情報、日時情報とともにネットワークに送信し、前記デジタル情報を前記場所付随情報、関連情報、日時情報とともにネットワークからサーバで受信し、このデジタル情報を場所付随情報、関連情報、日時情報とともに編集し日時順に所定の形態で整理して保存し、サーバから日時順に整理された場所付随情報、関連情報、デジタル情報を日時情報とともに閲覧用通信端末で取得して閲覧することを要旨とする。
【００２９】
請求項１１記載の本発明にあっては、場所付随情報の収集に加えて、デジタルカメラ、デジタルビデオ、高速無線ＬＡＮ接続サービスまたは自動料金収受システムから取得したデジタル情報も閲覧できるため、利便性を向上することができる。
【００３０】
更に、請求項１２記載の本発明は、請求項７乃至１１のいずれか１項に記載の発明において、前記閲覧用通信端末が、前記データ通信端末であることを要旨とする。
【００３１】
請求項１３記載の本発明は、利用者が移動する各場所に設置され、ネットワークに接続されるデータ通信端末または利用者に携帯されながら利用者とともに各場所に移動し、ネットワークに接続されるデータ通信端末を用いて利用者が移動した各場所の位置情報を含む場所付随情報を日時情報とともに収集して閲覧可能にする場所情報収集閲覧プログラムであって、データ通信端末においては、利用者が移動した各場所の位置情報を含む場所付随情報を収集し、利用者が必要により入力する関連情報および前記場所付随情報を収集した時点の日時情報とともに前記場所付随情報をネットワークを介してサーバに送信し、サーバにおいては、前記データ通信端末から送信されてくる場所付随情報、関連情報および日時情報をネットワークから受信し、この受信した場所付随情報、関連情報および日時情報を編集し日時順に所定の形態で整理して保存し、閲覧用通信端末においては、ネットワークを介して前記サーバにアクセスし、前記日時順に整理された場所付随情報および関連情報を日時情報とともに閲覧することを要旨とする。
【００３２】
請求項１３記載の本発明にあっては、データ通信端末においては各場所の位置情報を含む場所付随情報を収集し、関連情報および日時情報とともにサーバに送信し、サーバは場所付随情報、関連情報および日時情報を受信すると、この場所付随情報、関連情報および日時情報を編集し日時順に所定の形態で整理して保存し、利用者は閲覧用通信端末からネットワークを介してサーバにアクセスし、日時順に整理された場所付随情報および関連情報を日時情報とともに閲覧するため、利用者が日々移動する場所の情報やその関連情報を人手によらず逐次収集して日時順に日報として見やすく整理されたものとして閲覧でき、利便性を向上することができる。
【００３３】
【発明の実施の形態】
以下、図面を用いて本発明の実施の形態を説明する。図１は、本発明の一実施形態に係る場所情報収集閲覧システムを構成するブロック図である。図面に示す実施形態の場所情報収集閲覧システムにおいては、インターネット１にサーバ７、閲覧端末８、Ｌモード端末１９、メモリーカードリーダー搭載端末１８が通信回線を介して接続され、通信回線および高速無線ＬＡＮ接続サービス（いわゆるホットスポット（登録商標））地点５を介して移動端末６が接続され、また移動通信網１１には移動端末３、携帯電話機４が接続されている。移動端末３は無線リンク９を介して八王子料金所ＥＴＣ（自動料金収受システム）ゲート２に接続され、メモリーカードリーダー搭載端末１８はデジタルカメラ／ビデオカメラ１６で撮影した画像データの格納されたメモリーカード１７が装填されると、このメモリーカード１７に格納された画像データを読み取り、インターネット１に送出し得るようになっている。
【００３４】
移動端末３、携帯電話機４、移動端末６は、本システムの利用者によって携帯されながら利用者とともに各場所に移動するデータ通信端末を構成するが、このうち移動端末６は利用者が移動する各場所に設置されているデータ通信端末を構成するものとしてもよい。これらのデータ通信端末を構成する移動端末３、携帯電話機４、移動端末６は、利用者が移動した各場所の位置情報を含む場所付随情報を収集し、利用者が必要により入力する関連情報および前記場所付随情報を収集した時点の日時情報とともに場所付随情報をインターネット１や移動通信網１１を介してサーバ７に送出する情報収集送信手段を有する。
【００３５】
サーバ７は、各端末からインターネット１や移動通信網１１を介して送信されてくる場所付随情報、関連情報および日時情報を受信し、この受信した場所付随情報、関連情報および日時情報を編集し日時順に所定の形態で整理して保存する。
【００３６】
閲覧端末８、Ｌモード端末１９は、インターネット１や移動通信網１１を介してサーバ７にアクセスし、日時順に整理された場所付随情報および関連情報を日時情報とともにサーバ７から取得して閲覧する閲覧用通信端末を構成している。なお、閲覧用通信端末は前記移動端末３、携帯電話機４、移動端末６でも構成することができるし、すなわち移動端末３、携帯電話機４、移動端末６からサーバ７にアクセスし、サーバ７において日時順に整理された場所付随情報および関連情報を日時情報とともにサーバ７から取得して閲覧することも可能であるし、また閲覧端末８、Ｌモード（登録商標）端末１９は閲覧用通信端末として機能するのみでなく、移動端末３、携帯電話機４、移動端末６と同様に利用者が移動した各場所の位置情報を含む場所付随情報を収集し、利用者が必要により入力する関連情報および前記場所付随情報を収集した時点の日時情報とともに場所付随情報をインターネット１や移動通信網１１を介してサーバ７に送出するために利用することも可能である。
【００３７】
図１に示す実施形態の場所情報収集閲覧システムは、利用者が移動する各場所の位置情報を含む場所付随情報を利用者が必要により入力する関連情報とともに例えば日報のように日時順に所定の形態である雛型で編集整理して閲覧可能にするものであるが、この日報の雛型は、具体的には図２に示すように、時刻、場所、各種情報を記録できるように構成される。また、日報には後述する図３に示すように複数のエントリがあるが、図２に示す日報は、その１エントリを示しているものである。なお、各種情報には複数種別の情報が混在するが、その区別はＸＭＬのタグを用いて行うようになっている。
【００３８】
次に、上記実施形態の場所情報収集閲覧システムにおいて、ある利用者がある１日に移動した場合の移動経路、立ち寄った場所とその時刻および関連情報を利用者の移動端末３で収集し、この収集した情報を利用者が例えばデジタルカメラ／ビデオカメラ１６で能動的に取得した画像や動画などのデジタル情報とともに移動通信網１１やインターネット１を介してサーバ７に送信する動作について説明する。
【００３９】
まず、利用者は、一例として中央高速道路を利用して八王子料金所ＥＴＣゲート２を通過したとすると、利用者の移動端末３はこの八王子料金所ＥＴＣゲート２からその位置情報を示す「ＥＴＣ  Ｎｏ．２２４１」を受信する。具体的には、八王子料金所ＥＴＣゲート２は、その料金所の場所を示す微弱電波を常時放送しており、八王子料金所ＥＴＣゲート２を通過すると、移動端末３は無線リンク９を介して八王子料金所ＥＴＣゲート２から微弱電波で送信される当該料金所の位置情報を示す「ＥＴＣ  Ｎｏ．２２４１」を受信する。
【００４０】
利用者は、移動端末３により八王子料金所ＥＴＣゲート２から位置情報「ＥＴＣ  Ｎｏ．２２４１」を受信すると、更に八王子料金所ＥＴＣゲート２から投入される関連情報「天気は快晴、渋滞なし」も受信し、前記位置情報「ＥＴＣ  Ｎｏ．２２４１」と関連情報「天気は快晴、渋滞なし」を例えば第１の電子メールとして移動通信網１１を経由してインターネット１に接続されているサーバ７に送信する。また、この場合に、利用者は、動画や画像、テキスト情報などを移動端末３から更なる関連情報として入力して同様にサーバ７に送信することも可能である。なお、この送信タイミングは、利用者が移動端末３を通じて移動通信網１１を経由してまたは直接インターネット１に接続したときになる。
【００４１】
利用者は、中央高速道路を更に進んで、次に甲府市ＸＸ公園で知人に合うと、この時携帯電話機４によりＧＰＳによって受信した位置情報（例えば、甲府市ＸＸ公園の位置：北緯３５．４４度、東経１３９．５１度）を携帯電話機４で撮像した画像情報およびその撮像時間情報および関連情報「武田氏」とともに例えば第２の電子メールとして移動通信網１１を経由してインターネット１に接続されたサーバ７に送信する。
【００４２】
更に、利用者は、長野市善光寺門前町の高速無線ＬＡＮ接続サービス地点５において移動端末６を使用し、門前町の今週の特売情報を検索し、その検索結果を移動端末６上で編集して関連情報「特大蝋燭１，０００円、特上抹香１００ｇ、４，０００円」を作成する。それから、高速無線ＬＡＮ接続サービス地点５をインターネット１に接続しているＩＳＰ（インターネットサービスプロバイダ）から取得した位置情報「長野市善光寺門前町」、検索履歴のキーワード、先に編集した関連情報「特大蝋燭１，０００円、特上抹香１００ｇ、４，０００円」を第３の電子メールとして移動通信網１１を経由してインターネット１に接続されているサーバ７に送信する。
【００４３】
利用者は、最後にデジタルカメラ／ビデオカメラ１６で長野駅前の様子を撮影し、この撮影した長野駅前の様子の動画情報を格納したメモリカード１７を駅構内のコンビニエンスストアや写真店設置のメモリーカードリーダー搭載端末１８に装填し、この長野駅前の様子の動画情報を添付した第４の電子メールとしてサーバ７に送信する。なお、この場合、時刻情報は、デジタルカメラ／ビデオカメラ１６の画像情報に付与されている撮影時刻情報から取得する。また、位置情報は、メモリーカードリーダー搭載端末１８の位置情報を利用する。具体的な例は、時刻情報：６：１５ｐｍ、位置情報：長野駅前、関連情報：「駅入口から右手を望む」となる。なお、送信について、移動経路や履歴といった情報には必ず情報生成時刻情報が付与され、利用者が場所や時間情報を手動で入力する必要はない。また、利用者の携帯電話機４は、その日の活動の主要位置でＧＰＳ電波を受信して移動経路の履歴を蓄積可能である。利用者は１日の活動の終了後にこの移動経路情報を第５の電子メールとしてサーバ７に送信する。なお、この移動経路情報はサーバ７が先に受信した各情報から生成することも可能である。
【００４４】
次に、サーバ７は、利用者の端末から各電子メールにより位置情報を含む場所付随情報、関連情報、日時情報を受信すると、これらの情報を各電子メール毎に１エントリとして編集し、日時順に複数のエントリを所定の形態で整理して保存する。すなわち、利用者からの１つの電子メールは編集されて日報の１エントリとなる。
【００４５】
サーバ７は、各受信した電子メールのユーザＩＤまたは送信者アドレスから利用者とその日報を知る。日報の各エントリの時刻は受信電子メールの送信時刻を用いず、画像の撮像時刻情報や情報生成契機の時刻情報を用いる。これは、電子メールの送信時刻と画像の撮像時刻情報や情報生成契機の時刻情報とでは時間的ずれがあるためであり、情報を抜き出し、時刻順にソートする。
【００４６】
利用者からの第１の電子メールは、送信時刻が８：３０ａｍ、位置情報がＥＴＣ  Ｎｏ．２２４１、関連情報が「天気は快晴、渋滞なし」となっているため、サーバ７はインターネット１に接続された八王子料金所ＥＴＣゲート２のデータベースにＮｏ．２２４１で問い合わせて正確な位置：中央高速道八王子料金所を知ることができる。これらの第１の電子メールの情報は、図３に示すように利用者の日報の第１エントリとしてサーバ７において整理され保存される。
【００４７】
次に、サーバ７は、利用者からの第２の電子メールとして受信した北緯３５．４４度、東経１３９．５１度の位置情報、画像情報、撮像時間情報、関連情報「武田氏」に基づき、画像の撮影時刻１１：３０ａｍを活動の時刻とし、また位置情報の北緯３５．４４度、東経１３９．５１度からインターネット１に接続された地図データベースから北緯３５．４４度、東経１３９．５１度が正確な場所：甲府市ＸＸ公園であることを知ると、これらの情報を図３に示すように利用者の日報の第２エントリとしてサーバ７において整理し保存する。なお、甲府市のホームページアドレスといった付加価値を持った情報もこの時点で付与される。
【００４８】
利用者からの第３の電子メールは、送信時刻が４：３０ｐｍ、位置情報が長野市善光寺門前町、関連情報が特大蝋燭１，０００円、特上抹香１００ｇ、４，０００円であるので、これらの情報はサーバ７において図３に示すように利用者の日報の第３エントリとしてサーバ７において整理され保存される。
【００４９】
利用者からの第４の電子メールは、位置情報が長野駅前、関連情報が「駅入口から右手を望む」、付加情報が長野駅前の様子の動画情報、その時刻情報が６：１５ｐｍであるので、この動画の時刻情報６：１５ｐｍをメールの送信時刻に優先して使用し、これらの情報はサーバ７において図３に示すように利用者の日報の第４エントリとしてサーバ７において整理され保存される。この第４エントリの画像欄には動画ファイルへのリンクが記入される。
【００５０】
上記各電子メールは情報の生成と同じ順序でサーバ７に受信されるが、不一致がある場合には、エントリが情報生成時刻順にソートされる。
【００５１】
更に、利用者からの第５の電子メールとして、本日の携帯電話機４の移動経路情報が別エントリとして図３の最後に示すように日報の末尾に付加される。なお、この移動経路情報は地図上に表示し、各エントリへのリンクを設定表示することも可能である。
【００５２】
上述したように、サーバ７において日報の各エントリが整理され保存されると、利用者は閲覧端末８やＬモード端末１９または移動端末３や携帯電話機４などからインターネット１を介してサーバ７にアクセスし、日報を閲覧することができる。日報はブラウザなどを用いてマルチメディアコンテンツを表現できる形で提供され、テキストファイル、画像ファイル、動画ファイル、地図上に移動経路が表示された地図ファイル、ホームページへのリンク情報、音声ファイルなどが時間情報、位置情報を用いて有機的に結合されて添付される。
【００５３】
また、利用者には固有のユーザＩＤおよびパスワードが付与されており、利用者の端末からのサーバ７へのアクセスには、利用者のユーザＩＤとパスワードをサーバ７で確認して認証を行うようになっている。
【００５４】
更に、利用者は、本システムとのサービス契約時にパソコン、携帯端末などの情報提供先端末を選択的に指定することができ、ファイルの容量、画像サイズ、表示画面の大きさ、提供可能情報種別など提供先端末の能力に即した形に各種データが加工され日報として提供される。
【００５５】
従って、利用者がサーバ７から日報を閲覧する端末が閲覧端末８、移動端末３などのようなパソコンからなる一般端末の場合には、図４（ａ）に示すように、日報の写真などを含めて多数の項目を１画面で同時に表示して閲覧することができる。また、図４（ｂ）、（ｃ）に示すように表示画面の小さいＬモード端末１９や携帯電話機４の場合には、１画面に表示できる情報量が少ないので、画面の切り替えや画面サイズの低減処理、プレビュー生成などにより対応する。更に、図４（ｄ）に示すように、端末ではないが、ＣＤ−ＲＯＭ１０７も日報を一定期間保存するのに有効な媒体である。
【００５６】
なお、サーバ７における各端末種別毎の表示形態の識別は、サービスの契約時などに表示形態を定め、サーバ７が接続時に閲覧端末から受信したユーザＩＤにより表示形態を決定する方法、または閲覧端末が日報アクセス時に端末種別を示す方法、例えばアクセスに使用するＵＲＬに端末種別を示すサフィックス（例えば、Ｌモード端末１９の場合には／Ｌ）を用いる方法などがある。
【００５７】
なお、上記実施形態の場所情報収集閲覧システムの処理手順をプログラムとして例えばＣＤやＦＤなどの記録媒体に記録して、この記録媒体をコンピュータシステムに組み込んだり、または記録媒体に記録されたプログラムを通信回線を介してコンピュータシステムにダウンロードしたり、または記録媒体からインストールし、該プログラムでコンピュータシステムを作動させることにより、場所情報収集閲覧システムとして機能させることができることは勿論であり、このような記録媒体を用いることにより、その流通性を高めることができるものである。
【００５８】
【発明の効果】
以上説明したように、本発明によれば、データ通信端末においては各場所の位置情報を含む場所付随情報を収集し、関連情報および日時情報とともにサーバに送信し、サーバは場所付随情報、関連情報および日時情報を受信すると、この場所付随情報、関連情報および日時情報を編集し日時順に所定の形態で整理して保存し、利用者は閲覧用通信端末からネットワークを介してサーバにアクセスし、日時順に整理された場所付随情報および関連情報を日時情報とともに閲覧するので、利用者が日々移動する場所の情報やその関連情報を人手によらず逐次収集して日時順に日報として見やすく整理されたものとして閲覧でき、利便性を向上することができる。
【００５９】
また、本発明によれば、閲覧用通信端末の表示画面の大きさに適切な表示形式に場所付随情報、関連情報、日時情報を加工し、閲覧用通信端末に適切な表示形式で場所付随情報および関連情報を閲覧できるので、どのような端末を利用しても場所付随情報、関連情報、日時情報を的確に閲覧することができる。
【００６０】
更に、本発明によれば、場所付随情報および関連情報は日報として編集整理されて閲覧用通信端末で閲覧できるので、日々の移動の日報を人手によらず自動的に作成でき、利便性を向上することができる。
【００６１】
本発明によれば、場所情報収集閲覧方法を場所情報収集閲覧プログラムとして例えば記録媒体などに記録してコンピュータに実行させるので、該記録媒体を用いて、その流通性を高めることができる。
【図面の簡単な説明】
【図１】本発明の一実施形態に係る場所情報収集閲覧システムを構成するブロック図である。
【図２】図１に示す実施形態の場所情報収集閲覧システムで使用する日報の雛型を示す図である。
【図３】図１に示す実施形態の場所情報収集閲覧システムで作成された日報の例を示す図である。
【図４】図１に示す実施形態の場所情報収集閲覧システムにおける種々の閲覧形態を示す図である。
【符号の説明】
１  インターネット
２  八王子料金所ＥＴＣゲート
３，６  移動端末
４  携帯電話機
７  サーバ
８  閲覧端末
１１  移動通信網
１６  デジタルカメラ／ビデオカメラ
１８  メモリーカードリーダー搭載端末
１９  Ｌモード端末
【図１】
2004328540.tif 000003
【図２】
2004328540.tif 000004
【図３】
2004328540.tif 000005
【図４】
2004328540.tif 000006